(57)【要約】      （修正有）【課題】省スペース化されながらクリック機構を自在に解除可能であり、クリック機構の切換えに係る力量調整及びクリック感の調整が容易なレンズ鏡筒を提供する。【解決手段】第１のクリック受け部を有する本体部と、本体部の外周を回転摺動可能である三脚取付筒と、を有するレンズ鏡筒において、三脚取付筒は、三脚座３６と、第１の付勢部材と第１の付勢部材の両端に配置され付勢される第１の嵌合体と第２の嵌合体とを有するクリックユニットと、第２の嵌合体が嵌合するカムと、カムと係合する切換ユニットと、クリックユニットを本体部から離間する方向へ付勢する第２の付勢手段と、を有し、第１の嵌合体は第１のクリック受け部に嵌合する。【選択図】図１
2018040918.tif 000002
【特許請求の範囲】
【請求項１】
第１のクリック受け部を有する本体部と、
前記本体部の外周を回転摺動可能である三脚取付筒と、を有するレンズ鏡筒において、
前記三脚取付筒は、三脚座と、第１の付勢部材と前記第１の付勢部材の両端に配置され付勢される第１の嵌合体と第２の嵌合体とを有するクリックユニットと、前記第２の嵌合体が嵌合するカムと、
前記カムと係合する切換ユニットと、前記クリックユニットを前記本体部から離間する方向へ付勢する第２の付勢手段と、を有し、
前記第１の嵌合体は前記第１のクリック受け部に嵌合することを特徴とするレンズ鏡筒。
【請求項２】
前記切換ユニットは前記カムを回動操作することでモードの切替えを行うことを特徴とする請求項１に記載のレンズ鏡筒。
【請求項３】
前記切換ユニットは
前記第１の嵌合体と前記第１のクリック受け部とが嵌合可能であるクリックモードと、
前記第１の嵌合体と前記第１のクリック受け部とが嵌合不能である非クリックモードと、を切換え可能であることを特徴とする請求項１又は請求項２に記載のレンズ鏡筒。
【請求項４】
前記カムは貫通穴を有する中空円筒形状の部材であり、側面に第２のクリック受け部と第３のクリック受け部とを有し、
前記第２の嵌合体が前記第２のクリック受け部と嵌合することで前記クリックモードとし、
前記第２の嵌合体が前記第３のクリック受け部と嵌合することで前記非クリックモードとすることを特徴とする請求項３に記載のレンズ鏡筒。
【請求項５】
前記第２のクリック受け部及び前記第３のクリック受け部は長穴形状であり、前記第２のクリック受け部の大きさは前記第３のクリック受け部の大きさより小さいことを特徴とする請求項４に記載のレンズ鏡筒。
【請求項６】
前記第１の嵌合体及び前記第２の嵌合体はクリックボールであることを特徴とする請求項１乃至請求項５のいずれかに記載のレンズ鏡筒。
【請求項７】
前記付勢部材はコイルバネであることを特徴とする請求項１乃至請求項６のいずれかに記載のレンズ鏡筒。
【請求項８】
前記本体部は固定筒と、
前記第１のクリック受け部を有するクリック受け筒とを有し、
前記クリック受け筒と前記カムは前記固定筒と異なる表面処理を施されていることを特徴とする請求項１乃至請求項7のいずれかに記載のレンズ鏡筒。
【発明の詳細な説明】
【技術分野】
【０００１】
本発明は、回転摺動する三脚座を有するレンズ鏡筒に関する。
【背景技術】
【０００２】
従来より、望遠系の交換レンズにはカメラボディとは別に三脚取付用の三脚座が付属されているものが多くある。
【０００３】
三脚座はレンズ鏡筒の外観に光軸を中心とした回転可能なリングから突出する形で構成されており、該リングには回転を固定させるためのロック機構が設けられており、ユーザーは任意の位置で該リングを固定し、撮影を行う。
【０００４】
また、該リングとレンズ鏡筒とにはクリック感を生じさせる機構（以下、クリック機構）が備わっている物もあり、指標を確認することなく所定の位置で固定をすることができる。
【０００５】
しかしクリック機構が備わっていると、必然的にクリック音が発生してしまう。これは、動画撮影等の不要な音を除外すべき状況において弊害をもたらしていた。また、クリック感が生じる所定の位置付近での微調整は、クリック溝による求芯作用によって困難であるという問題があった。
【０００６】
このような問題を解決するレンズ鏡筒として、特許文献１が挙げられる。特許文献１に開示された発明によれば、クリック機構を解除するスイッチを搭載することで、クリック感が生じる所定の位置に関係なく、任意の位置に固定できるレンズ鏡筒を提供できる、としている。
【先行技術文献】
【特許文献】
【０００７】
【特許文献１】特開２０００―２２７５３７号公報
【発明の概要】
【発明が解決しようとする課題】
【０００８】
しかし特許文献１に記載の発明はスライド式のスイッチによってクリック機構の切替えを行っている。従って、例えば製品の設計変更等の理由によってクリック感の力量調整を行おうとすれば、大幅に構成の変更を行う必要があった。特に、外観へ露出している切替えスイッチの全長を変更するには外装の変更が必要であり、容易に調整することが出来なかった。
【０００９】
上記課題から本発明は、省スペース化されながらクリック機構を自在に解除可能であり、クリック機構の切換えに係る力量調整が容易なレンズ鏡筒を提供することを目的とする。
【課題を解決するための手段】
【００１０】
請求項１に示す発明は、第１のクリック受け部を有する本体部と、前記本体部の外周を回転摺動可能である三脚取付筒と、を有するレンズ鏡筒において、前記三脚取付筒は、三脚座と、第１の付勢部材と前記第１の付勢部材の両端に配置され付勢される第１の嵌合体と第２の嵌合体とを有するクリックユニットと、前記第２の嵌合体が嵌合するカムと、前記カムと係合する切換ユニットと、前記クリックユニットを前記本体部から離間する方向へ付勢する第２の付勢手段と、を有し、前記第１の嵌合体は前記第１のクリック受け部に嵌合することを特徴とするレンズ鏡筒である。
【００１１】
請求項２に示す発明は、前記切換ユニットは前記カムを回動操作することでモードの切替えを行うことを特徴とする請求項１に記載のレンズ鏡筒である。
【００１２】
請求項３に示す発明は、前記切換ユニットは前記第１の嵌合体と前記第１のクリック受け部とが嵌合可能であるクリックモードと、前記第１の嵌合体と前記第１のクリック受け部とが嵌合不能である非クリックモードと、を切換え可能であることを特徴とする請求項１又は請求項２に記載のレンズ鏡筒である。
【００１３】
請求項４に示す発明は、前記カムは貫通穴を有する中空円筒形状の部材であり、側面に第２のクリック受け部と第３のクリック受け部とを有し、前記第２の嵌合体が前記第２のクリック受け部と嵌合することで前記クリックモードとし、前記第２の嵌合体が前記第３のクリック受け部と嵌合することで前記非クリックモードとすることを特徴とする請求項３に記載のレンズ鏡筒である。
【００１４】
請求項５に示す発明は、前記第２のクリック受け部及び前記第３のクリック受け部は長穴形状であり、前記第２のクリック受け部の大きさは前記第３のクリック受け部の大きさより小さいことを特徴とする請求項４に記載のレンズ鏡筒である。
【００１５】
請求項６に示す発明は、前記第１の嵌合体及び前記第２の嵌合体はクリックボールであることを特徴とする請求項１乃至請求項５のいずれかに記載のレンズ鏡筒である。
【００１６】
請求項７に示す発明は、前記付勢部材はコイルバネであることを特徴とする請求項１乃至請求項６のいずれかに記載のレンズ鏡筒である。
【００１７】
請求項８に示す発明は、前記本体部は固定筒と、前記第１のクリック受け部を有するクリック受け筒とを有し、前記クリック受け筒と前記カムは前記固定筒と異なる表面処理を施されていることを特徴とする請求項１乃至請求項7のいずれかに記載のレンズ鏡筒である。
【発明の効果】
【００１８】
本発明によれば、省スペース化されながらクリック機構を自在に解除可能であり、クリック機構の切換えに係る力量調整が容易なレンズ鏡筒を提供することができる。
【図面の簡単な説明】
【００１９】
【図１】本発明の一実施例を示したレンズ鏡筒における三脚取付筒の斜視図である。
【図２】本発明の一実施例を示したレンズ鏡筒におけるクリック機構をオンにした際の主要な構成部材の断面図である。
【図３】本発明の一実施例を示したレンズ鏡筒におけるクリック機構をオンにした際の三脚取付筒内部の主要な構成部材の斜視図である。
【図４】本発明の一実施例を示したレンズ鏡筒におけるクリック切換カムの斜視図である。
【図５】本発明の一実施例を示したレンズ鏡筒におけるクリック機構をオフにした際の主要な構成部材の断面図である。
【図６】本発明の一実施例を示したレンズ鏡筒におけるクリック機構をオフにした際の三脚取付筒内部の主要な構成部材の斜視図である。
【発明を実施するための形態】
【００２０】
以下、添付の図面に従って、本発明を実施するための最良の形態について説明する。なお、この実施の形態により本発明が限定されるものではない。
【００２１】
図１は本発明の一実施例を示したレンズ鏡筒における三脚取付筒の斜視図である。また、図２は本発明の一実施例を示したレンズ鏡筒におけるクリック機構をオンにした際の主要な構成部材の断面図である。以下、図１、図２を使用してレンズ鏡筒１の部材について説明する。ここで、レンズ鏡筒１は撮像装置に対して取り付け交換可能であり、その中心に光軸を持つ。また、本実施例の図では第１、第２コイルバネ４８、３４は簡単のため円筒状部材として描写する。
【００２２】
１０はレンズ鏡筒１における固定筒１０であり、内部には不図示の光学素子等を備えている。
【００２３】
クリック受け筒２０は、表面処理を施された円筒部材であり、その外周上に等間隔に配置されたクリック受け部２２を４箇所備えている。また、クリック受け筒２０は不図示の締結ビス等によって固定筒１０に固定されている。
【００２４】
クリック受け筒２０はその外周を三脚取付筒３０の第１クリックボール４４が摺動するため、三脚取付筒３０の摺動感の根本となる部材である。クリック受け筒２０には無電解ニッケルメッキによる表面処理が施されている。このような処理を行うことで、三脚取付筒３０の摺動性が向上し、また表面硬度が向上するためクリック受け部２２の削れを抑制することができる。また、クリック受け筒２０を固定筒１０とは別部材とすることで表面処理の精度が向上し、処理コストを抑制することができる。
【００２５】
図３は本発明の一実施例を示したレンズ鏡筒におけるクリック機構をオンにした際の三脚取付筒内部の主要な構成部材の斜視図である。三脚取付筒３０はレンズ鏡筒１の光軸を中心に相対回動可能な円筒部材である。三脚取付筒３０は円周上にロック機構３２、外部に三脚座３６、内部にクリックユニット、第２コイルバネ３４、クリック切替カム５０、切替ユニットを備えている。
【００２６】
ロック機構３２は三脚取付筒３０の摺動状態を切替えるために設けられた部材であり、締め込みによって三脚取付筒３０を摺動不可状態で固定する。
【００２７】
クリックユニットは三脚取付筒３０の摺動に伴うクリック感、及びクリック機構の切替えに伴うクリック感を生じさせるために設けられたユニットである。クリックユニットは保持筒、第１、第２クリックボール４４、４６、第１コイルバネ４８から構成される。ここで、第１、第２クリックボール４４、４６は同一の部材である。
【００２８】
保持筒は光軸に垂直な方向を向いた中空円筒状の部材であり、内部に第１、第２クリックボール４４、４６及び第１コイルバネ４８を保持し、規制している。また、外部には第２コイルバネ３４を規制するための突出部４３が設けられている。保持筒は保持部４０及び蓋部４９から構成される部材である。クリックユニットの形成は、保持部４０に第１クリックボール４４、第１コイルバネ４８、第２クリックボール４６の順に圧入し、蓋部４９を保持部４０に締結することで行われる。
【００２９】
第１コイルバネ４８はその両端に第１、第２クリックボール４４、４６が配置された付勢部材であり、保持筒の上下に設けられた第１、第２開口部４１、４２に第１、第２クリックボール４４、４６を押圧している。ここで第１、第２開口部４１、４２は円形の穴であり、第１、第２クリックボール４４、４６の直径より小さい径が設定されている。従って第１、第２クリックボール４４、４６は第１コイルバネ４８によって常に付勢されつつ、開口部から一部が外部に突出した状態で規制されている。
【００３０】
第２コイルバネ３４は保持筒の円周上に設置された付勢部材である。第２コイルバネ３４はクリックユニットを付勢するための部材であり、一端が保持筒の突出部４３に当接し、別端が三脚取付筒３０の内部壁に当接している。
【００３１】
図４は本発明の一実施例を示したレンズ鏡筒におけるクリック切替カムの斜視図である。クリック切替カム５０は後述の切替ユニットによって加えられる回転方向の力を光軸と垂直方向の力へと変換するための部材である。クリック切替カム５０は光軸と平行方向を向く中空円筒形状の部材であり、上面から底面を貫通する貫通穴を有している。また、クリック切替カム５０は第２クリックボール４６が嵌合する第１、第２クリック受け穴５２、５４を有し、クリックユニットに対して位置を規制している。クリック切替カム５０は第２クリックボール４６が摺動する部材であるため、クリック受け筒２０と同様に無電解ニッケルメッキによる表面処理が行われている。
【００３２】
ここで本実施例においてクリック切替カム５０は、貫通穴の中心軸から第１クリック受け穴５２までの距離が、貫通穴の中心軸から第２クリック受け穴５４までの距離よりも長く設定されている。また、第１、２クリック受け穴５２、５４は長穴形状であり、第１クリック受け穴５２の方が第２クリック受け穴５４より、長穴の大きさが小さく設定されている。また、本実施例において第１、第２クリック受け穴５２、５４は貫通穴となっているが、貫通しない凹み部としてもよい。
【００３３】
切替ユニットは三脚取付筒３０を回転摺動させる際にクリック感が生じるクリックモードと、クリック感の生じない非クリックモードを切替えるためのユニットである。切替ユニットはつまみ部６０と貫通軸６２から構成される。ここで、クリックモードはクリック機構をオンにされた状態であり、非クリックモードはクリック機構をオフにされた状態とする。
【００３４】
つまみ部６０は貫通軸６２を中心に相対回動可能な、光軸と平行方向を向く円筒状部材である。つまみ部６０に力量を加えて回動させることで、クリック機構の切替えは行われる。貫通軸６２はつまみ部６０及びクリック切替カム５０に固定されており、つまみ部６０に加えた力量を直接クリック切替カム５０へと連動させるために設けられた部材である。
【００３５】
次に本発明におけるクリック機構の切替えによる、三脚取付筒３０内部の動作について説明する。図５は本発明の一実施例を示したレンズ鏡筒におけるクリック機構をオフにした際の主要な構成部材の断面図である。図６は本発明の一実施例を示したレンズ鏡筒におけるクリック機構をオフにした際の三脚取付筒内部の主要な構成部材の斜視図である。
【００３６】
クリック機構の切替えはつまみ部６０に回動操作をすることで行われる。クリック機構がオンとなっている場合、クリックユニットの第２クリックボール４６はクリック切替カム５０の第１クリック受け穴５２に嵌合している。また、クリックユニットの第１クリックボール４４はクリック受け筒２０のクリック受け部２２に嵌合している。また、第１、第２クリックボール４４、４６は第１コイルバネ４８によって付勢されているため、一部が開口部から突出する状態である。
【００３７】
クリック機構をオンからオフへと切替える回動操作について説明する。つまみ部６０に対して時計回りの回動操作を与えると、つまみ部６０と連動したクリック切替カム５０も同様に時計回りに回動し、第1クリック受け穴５２から第２クリックボール４６が外れる。さらに回動操作を加えていくと、クリックユニットが第２コイルバネ３４によってクリック切替カム５０方向へ付勢されているため、第２クリックボール４６はクリック切替カム５０の円周上を圧接されながら第２クリック受け穴５４まで移動する。
【００３８】
ここで、前述したようにクリック切替カム５０は貫通穴の中心軸から第１クリック受け穴５２までの距離が、貫通穴の中心軸から第２クリック受け穴５４までの距離よりも長く設定されている。よって回動操作が行われるにつれ、クリック切替カム５０によるクリックユニットへの規制位置が変化する。従って第２のコイルバネ３４によるクリック切替カム５０方向への付勢力によって、クリックユニットはクリック受け筒２０から離間していく。
【００３９】
更につまみ部６０へと回動操作を与え続け、第２クリックボール４６が第２クリック受け穴５４付近まで接近すると、第２クリック受け穴５４の求芯作用によって、クリック感及びクリック音と共に第２クリックボール４６が第２クリック受け穴５４へと嵌合する。この際には図５に示されるように第１クリックボール４４とクリック受け筒２０は完全に離間した状態となる。
【００４０】
このようにつまみ部６０に対する回動操作によってクリック機構の切換えは行われ、三脚取付筒３０を回転摺動させる際のクリック機構をオフとすることができる。また、クリック機能をオンに切替える際には上記とは逆の順番で動作が行われる。
【００４１】
以上の様に本実施例のレンズ鏡筒１は、外部に設けられたつまみ部６０を操作し、連動したクリック切替カム５０を回動操作することでクリックモードと非クリックモードを切替えることができる。
【００４２】
また、三脚取付筒３０の摺動に伴うクリック感及びクリック機構の切替えに伴うクリック感を、どちらもそれぞれ第１クリックボール４４及び第２クリックボール４６を第１コイルバネ４８によって付勢することで発生させている。従って、クリック感を発生させるための付勢部材を個別に必要とする構成と比べ、省スペース化が可能である。また、部品点数を削減することで小型化、製造コストの減少が可能である。
【００４３】
また、本発明における切替ユニットの回動操作における力量は、クリック切替カム５０の形状、詳しくは第１クリック受け穴５２と第２クリック受け穴５４の相対距離によって決定される。例えばクリック機構の切替えに必要なつまみ部６０への力量を小さくしたい場合、第１クリック受け穴５２と第２クリック受け穴５４の相対距離を広げればよい。これは貫通穴の中心軸から第１クリック受け穴５２を結ぶ直線と、貫通穴の中心軸から第２クリック受け穴５４を結ぶ直線とが成す角を増大させることと同義である。このように相対距離を広げると、その分つまみ部６０へのひねり量は増大する。
【００４４】
ここで、特許文献１のようなスイッチ機構を採用したレンズ鏡筒において、同様にクリック機構の切替えによる力量を調整しようとすれば、スイッチ自体の移動量を変更する必要がある。従って、レンズ鏡筒の内部構成、外観等の変更が発生してしまう。しかし、本実施例ではつまみ部６０が円筒形状であり、回転による外観形状の変形はないため、力量の調整によるひねり量の変化を考慮する必要がない。従って、力量の変更にあたってクリック切替カム５０の形状を変更するのみで対応できるため、力量調整が容易である。
【００４５】
また、クリック機構の切替えに伴うクリック感は第１、第２のクリック受け穴５２、５４の形状によって決定される。従ってクリック音、クリックの感触といった、クリック感のパラメータについて、長穴の大きさを変更することで簡単に調整することが可能である。本実施例においては第２クリックボール４６が第１、第２クリック受け穴５２、５４に嵌合する際のクリック感がそれぞれ等しくなるように、第１クリック受け穴５２の大きさが第２クリック受け穴５４の大きさより小さく設定されている。
【００４６】
上記について説明する。クリック機構がオンの際とクリック機構がオフの際では、クリック切替カム５０の形状に起因して、第２コイルバネ３４の付勢力が異なっている。付勢力は自然長からの変位量によって決定されるので、クリック機構がオンの際には、クリック機構がオフの際よりも第２コイルバネ３４の付勢力が大きい。クリック感は付勢力と長穴の大きさによって決定されるので、第１クリック受け穴５２を第２クリック受け穴５４よりも小さくすることで、等しいクリック感が得られるよう設定している。上記のように、クリック感のパラメータの変更にあたって長穴の形状を変更するのみで対応できるため、クリック感の調整が容易である。
【００４７】
即ち本発明は、省スペース化されながらクリック機構を自在に解除可能であり、クリック機構の切換えに係る力量調整及びクリック感の調整が容易なレンズ鏡筒を提供するという目的を、第１のクリック受け部を有する本体部と、前記本体部の外周を回転摺動可能である三脚取付筒と、を有するレンズ鏡筒において、前記三脚取付筒は、三脚座と、第１の付勢部材と前記第１の付勢部材の両端に配置され付勢される第１の嵌合体と第２の嵌合体とを有するクリックユニットと、前記第２の嵌合体が嵌合するカムと、前記カムと係合する切換ユニットと、前記クリックユニットを前記本体部から離間する方向へ付勢する第２の付勢手段と、を有し、前記第１の嵌合体は前記第１のクリック受け部に嵌合することを特徴とする構成によって実現した。
【００４８】
なお、本発明にかかるレンズ鏡筒１は、本発明が適用される撮像装置に応じて適宜変形、及び拡大縮小される。また、必要に応じて、装置の外寸法の変更による外観の変化、部材間の結合位置など、種々の変形や変更が可能であるが、いずれも本発明の均等の範囲内である。
【符号の説明】
【００４９】
１      レンズ鏡筒
１０      固定筒
２０      クリック受け筒
２２      クリック受け部
３０      三脚取付筒
３２      ロック機構
３４      第２コイルバネ
３６      三脚座
４０      保持部
４１      第１開口部
４２      第２開口部
４３      突出部
４４      第１クリックボール
４６      第２クリックボール
４８      第１コイルバネ
４９      蓋部
５０      クリック切替カム
５２      第１クリック受け穴
５４      第２クリック受け穴
６０      つまみ部
６２      貫通軸
【図１】
2018040918.tif 000003
【図２】
2018040918.tif 000004
【図３】
2018040918.tif 000005
【図４】
2018040918.tif 000006
【図５】
2018040918.tif 000007
【図６】
2018040918.tif 000008